(57)【要約】【課題】シンプルな構成でありながら、長時間楽しむことができ、見飽きることがない置物を提供すること。【解決手段】本発明の置物１は、台座２と、この台座３に設置された駆動体４と、台座２の上に載置され、駆動体４の回転運動が伝達されて回転する人形３を備え、人形３は竿体５を備え、竿体の先端５１には、この先端５１から垂れ下がり、他端に錘８を備えた糸６が繋がれ、また、台座２の上は、人形３が回転しても前記竿体の先端５１と接触しない位置に支柱７が配設される構成を採用し、駆動体４の回転運動が伝達されて台座２の上で人形３が回転する状態と、遠心力及び向心力により、先端に錘８を付けた糸６が支柱７に巻き付いて人形が停止する状態が交互に繰り返されるため、見た目にも面白みがあり見飽きることがなく、長時間楽しむことが可能となる観賞用置物となる。【選択図】図１
2008125686.tif 000002
【特許請求の範囲】
【請求項１】
台座と、当該台座に設置された駆動体と、前記台座の上に載置され、前記駆動体の回転運動が伝達されて回転する人形を備えた置物において、
前記人形は、当該人形から延びるように竿体を備え、
前記竿体の先端には、当該先端から垂れ下がり、他端に錘を備えた糸が繋がれ、
前記台座の上には、前記人形が回転しても前記竿体が接触しない位置に支柱が配設されていることを特徴とする置物。
【請求項２】
前記支柱が台座の上に複数本配設されていることを特徴とする請求項１に記載の置物。
【請求項３】
前記駆動体がぜんまい（発条）を駆動源としていることを特徴とする請求項１または請求項２に記載の置物。
【請求項４】
前記支柱と前記竿体の先端との間隔が０ｍｍ以上２０ｍｍ以下であることを特徴とする請求項１ないし請求項３のいずれかに記載の置物。
【請求項５】
前記人形の回転数が５０〜２００ｒｐｍであることを特徴とする請求項１ないし請求項４のいずれかに記載の置物。
【請求項６】
前記錘が魚形状であることを特徴とする請求項１ないし請求項５のいずれかに記載の置物。
【発明の詳細な説明】
【技術分野】
【０００１】
本発明は、置物に関する。更に詳しくは、シンプルな構成でありながら、長時間楽しむことができ、見た目にも面白みがあるため見飽きることがない卓上型の観賞用置物に関する。
【背景技術】
【０００２】
遊び心のある置物は見る者の心を和ませる。このような観賞用置物としては、台座の上で人形等の所定の物体を回転ないし動作させる構成のものが知られており、例えば、台座部と、この台座部に設けられた動力部及び象形体からなる観賞用の可動象形体付き置物が提供されている（例えば、特許文献１を参照。）。
【０００３】
【特許文献１】特開平７−２２２８７３号公報（［請求項１］、［図１］）
【発明の開示】
【発明が解決しようとする課題】
【０００４】
ところで、このような観賞用の置物は、装飾性を重視し、派手な動きを必要とする場合が多いため、構成が複雑となり、コスト高となってしまうことがあった。また、所定時間以上回転運動を継続させることは難しく、長時間楽しむことができない場合があった。
【０００５】
本発明の目的は、前記の課題に鑑みてなされたものであり、台座の上で人形等の所定の物体を回転ないし動作させる構成の観賞用置物において、シンプルな構成でありながら、長時間楽しむことができ、見飽きることがない置物を提供することにある。
【課題を解決するための手段】
【０００６】
前記の課題を解決するために、本発明の請求項１に係る置物は、台座と、当該台座に設置された駆動体と、前記台座の上に載置され、前記駆動体の回転運動が伝達されて回転する人形を備えた置物において、前記人形は、当該人形から延びるように竿体を備え、前記竿体の先端には、当該先端から垂れ下がり、他端に錘を備えた糸が繋がれ、前記台座の上には、前記人形が回転しても前記竿体が接触しない位置に支柱が配設されていることを特徴とする。
【０００７】
本発明の請求項２に係る置物は、前記支柱が台座の上に複数本配設されていることを特徴とする。
【０００８】
本発明の請求項３に係る置物は、前記請求項１または請求項２において、前記駆動体がぜんまい（発条）を駆動源としていることを特徴とする。
【０００９】
本発明の請求項４に係る置物は、前記請求項１ないし請求項３のいずれかにおいて、前記支柱と前記竿体の先端との間隔が０ｍｍ以上２０ｍｍ以下であることを特徴とする。
【００１０】
本発明の請求項５に係る置物は、前記請求項１ないし請求項４のいずれかにおいて、前記人形の回転数が５０〜２００ｒｐｍであることを特徴とする。
【００１１】
本発明の請求項６に係る置物は、前記請求項１ないし請求項５のいずれかにおいて、前記錘が魚形状であることを特徴とする。
【発明の効果】
【００１２】
本発明の請求項１に係る置物は、台座の上を回転する人形について、駆動体の回転運動が伝達されて台座で人形が回転する状態と、遠心力及び向心力により、先端に錘を付けた糸が支柱に巻き付いて人形が停止する状態が交互に繰り返され、シンプルな構成でありながら、見た目にも面白みがあるため見飽きることがない観賞用置物となる。また、単なる回転運動の連続ではなく、適度に停止状態を交えるため、単に回転運動を続ける場合と比べて、駆動源の種類にかかわらず駆動体の運動状態を長く持続させることができ、長時間楽しむことが可能となる。
なお、本発明における「置物」は、いわゆる置物一般に加えて、「玩具」も含む概念である。
【００１３】
本発明の請求項２に係る置物は、前記した請求項１において、支柱が台座の上に複数本配設されている構成を採用しているので、人形が回転する回転運動と、糸が巻き付いて停止する停止運動が各方向でテンポよく続けられ、見た目の面白さが倍増し、見る者を更に楽しませる置物となる。
【００１４】
本発明の請求項３に係る置物は、前記した請求項１または請求項２において、置物を構成する駆動体がぜんまい（発条）を駆動源としている。前記したように、本発明の置物は、適度に停止状態を交えることにより駆動体の運動状態を長く持続させることができるため、通常であれば人形の回転運動を長時間持続させることが難しいぜんまいを駆動源として用いた場合であっても、長時間楽しむことができる置物となる。
【００１５】
本発明の請求項４に係る置物は、前記した請求項１ないし請求項３のいずれかにおいて、置物を構成する支柱と竿体の先端との間隔が０ｍｍ以上２０ｍｍ以下であるので、人形が回転運動をする場合に、遠心力により外側（人形から離れる側のこと。以下同じ。）に力を受けた糸が効率よく支柱に巻き付くことになる。
【００１６】
本発明の請求項５に係る置物は、前記した請求項１ないし請求項４のいずれかにおいて、置物を構成する人形の回転数が５０〜２００ｒｐｍであるので、人形が回転した際に、錘を備えた糸に遠心力が効率よく作用して、糸が支柱に巻き付きやすくなる。また、観賞するにも適度な回転数であり、見ていて飽きることがなく楽しむことができる。
【００１７】
本発明の請求項６に係る置物は、前記した請求項１ないし請求項５のいずれかにおいて、置物を構成する錘が魚形状であるので、置物における人形の動きが、竿体により魚を釣り上げる様となり、見る者をより一層楽しませることができる。
【発明を実施するための最良の形態】
【００１８】
以下、本発明の実施形態の例を図面に基づいて説明する。
【００１９】
（Ｉ）本発明の置物１の構成：
図１ないし図４を用いて、本発明の置物の一態様の構成を説明する。ここで、図１は、本発明の第１実施形態に係る置物の斜視図、図２は、台座を底から見た図であって、駆動体の構造を示した概略図、図３は図１のIII−III断面図、図４は、支柱と竿体の先端との位置状態を示した概略図、をそれぞれ示す。図１ないし図４中、１は置物、２は台座、３は人形、４は駆動体、５は竿体、６は糸、７は支柱、８は魚形状の錘、９は鈴、をそれぞれ示す。なお、図３にあっては、糸６、魚形状の錘８、及び鈴９は省略している。
【００２０】
本実施形態の置物１は、図１ないし図３に示すように、台座２と、かかる台座２に設置された駆動体４と、台座２の上に載置され、駆動体４の回転運動が伝達されて回転する人形３を基本構成として備える。
【００２１】
かかる構成の置物１は、略矩形状の台座２の上に載置された人形３が回転するが、かかる人形３の回転運動は、台座２の内部に設置された駆動体４により行われる。図２及び図３に示すように、駆動体４は、本実施形態にあっては、駆動源であるぜんまい（発条）４１と、かかるぜんまい４１の回転運動を伝達する第１平歯車４２と第２平歯車４３によりなり、ぜんまい４１の駆動により第１平歯車４２が回転し、かかる第１平歯車４２に噛合された第２平歯車４３が回転する。そして、この第２平歯車４３の回転により、当該第２平歯車４３の回転軸４４に連接された人形３が、当該回転軸４４を回転の軸中心として回転することになる。
【００２２】
ぜんまい４１の駆動は、ぜんまい４１に繋がれたハンドル４５により制御され、台座２の上に現れるハンドル４５を矢印Ａ方向に締めてぜんまい４１を締め、その後ハンドル４５を開放することにより、台座２の上の人形３が矢印Ｂ方向に回転することになる。なお、本実施形態にあっては、駆動体４は台座２の内部（台座２の底）に配設され、図１等に示すように、かかる駆動体４を格納する部分が高台とされている。ここで、駆動源であるぜんまい４１の種類としては、特に制限はなく、従来公知のものを適宜選択して使用することができる。
【００２３】
台座２の上に載置された回転可能な人形３は、本実施形態にあっては、人形３から前方に延びるように竿体５を把持固定して備える。ここで、かかる竿体５は、本実施形態にあっては、弓状に撓った形状のものを示しており、竿体５の胴部には鈴９が括り付けられている。
【００２４】
また、竿体の先端５１には糸６が繋がれている。この糸６の他端には魚形状の錘８が繋がれ、通常時（人形３が回転していない状態）にあっては、糸６は錘８の重量により、竿体の先端５１から略真下に垂れ下がる。錘８を魚形状とすることにより、置物１における人形３の動きが、竿体５により魚を釣り上げる様となり、見る者をより一層楽しませることになる。なお、本実施形態にあっては、人形３として恵比寿様、魚形状の錘８として鯛とした態様を示している。
【００２５】
本発明にあって、錘８の重量は、例えば０．５〜１０．０ｇ程度としておけばよい。錘８の重量をかかる範囲としておけば、遠心力により外側（人形３から離れる側。以下同じ。）へ向く力が効率よくかかるようになる。錘８の重量は、０．５〜５．０ｇ程度としておくことが好ましく、０．５〜３．０ｇ程度とすることが特に好ましい。
【００２６】
台座２の上には、本実施形態にあっては、人形３から見て前方に支柱７を配設している。かかる支柱７は、人形３から見て、竿体の先端５１より外側に配設されているので、人形３が回転することによっては、竿体５ないし竿体の先端５１が支柱７と接触することはない。
【００２７】
一方、人形３が回転した状態にあっては、錘８を付けた糸６が垂れ下がっている状態から、遠心力により外側に向く力がはたらくため、竿体の先端５１から延びる糸６が張った状態で外側に広がりながら人形３が回転し、その結果、糸６（糸６の胴部等）が支柱７（支柱７の胴部）に接触する（後記する図５を参照。）。また、糸６が支柱７に接触することにより、かかる接触した点を向心力の中心として、糸６が支柱７に巻き付いていくことになり、その間、人形３は停止した状態となる。
【００２８】
糸６が支柱７に巻き付いたら、人形３が回転運動を継続していることから、今度は糸６が支柱７から逆に解ける力がはたらくことになり、巻き付いた糸６は支柱７から解けていく。そして、支柱７から糸６が解けたら、人形３は台座２の上で再度回転することとなり、以降、このような回転状態と停止状態が繰り返されることになる。
【００２９】
図４は、支柱７と竿体の先端５１との位置状態を示した概略図である。本発明において、支柱７と竿体の先端５１との間隔ｄは、人形３が回転しても竿体５と接触しない位置で、人形３が回転した場合に、竿体の先端５１から垂れ下がる糸６が遠心力により外側の力を受けた結果、支柱７に接触することができる範囲において特に制限はないが、０ｍｍ以上２０ｍｍ以下とすることが好ましい。間隔ｄをかかる範囲とすることにより、人形３が回転運動をする場合に、遠心力により外側に力を受けた糸６が効率よく支柱７に巻き付くことになる。かかる間隔ｄは、１ｍｍ以上１０ｍｍ以下とすることが更に好ましく、３ｍｍ以上６ｍｍ以下とすることが特に好ましい。
【００３０】
また、人形３の回転数は、特に制限はないが、５０〜２００ｒｐｍ程度とすることが好ましい。人形３の回転数がかかる範囲であれば、人形３が回転した際に、錘８を備えた糸６に、外側に向かう遠心力が効率よく作用して、糸６が支柱７に巻き付きやすくなる。また、観賞するにも適度な回転数であり、見ていて飽きることがなく楽しむことができる。人形３の回転数は、１２０〜２００ｒｐｍ程度とすることが特に好ましい。
【００３１】
（II）本発明の置物１の動作：
以下、本発明の置物１の動作を、図１ないし図１０を用いて説明する。ここで、図５は、竿体の先端５１から延びる糸６が支柱７に接触した状態を示す斜視図、図６は、糸６が支柱７に巻き付いた状態を示す斜視図、図７は、糸６が支柱７に完全に巻き付いた状態を示す斜視図、図８は、糸６が支柱７から解けた状態を示す斜視図、図９は、糸６が支柱７から完全に解けた状態を示す斜視図、そして、図１０は、人形３が回転運動を再開した状態を示す斜視図、をそれぞれ示す。
【００３２】
図１において、ぜんまい４１のハンドル４５を矢印Ａ方向に数回回転させてぜんまい４１を締め、ハンドル４５から手を離して開放状態とすると、図２及び図３に示すぜんまい４１が駆動して第１平歯車４２が回転し、かかる第１平歯車４２を噛合された第２平歯車４３も回転し、第２平歯車４３の回転軸４４と連接された人形が、当該回転軸４４を回転の軸中心として矢印Ｂ方向に回転する。また、人形３に把持固定された竿体５に取り付けられた、魚形状の錘８を付けた糸６の先端が遠心力により、垂れ下がっている状態から外側に力を受けて、人形３から離れるように広がりながら人形３が回転する。その結果、図５に示すように、竿体の先端５１から延びる糸６が支柱７に接触することになる。
【００３３】
図５に示すように糸６が支柱７に接触すると、台座２の上の人形３は停止するとともに、図６に示すように、接触した点を向心力の中心として、糸６が支柱７に巻き付いていくことになり、図７に示すように、最終的には糸６が支柱７に完全に巻き付くことになる。一方、糸６が支柱７に完全に巻き付いたら、今度は糸６が支柱７から解ける力がはたらくことにより、図８に示すように、巻き付いた糸６は支柱７から解けていくことになる。
【００３４】
そして、図９に示すように、支柱７から糸６が完全に解けたら、人形３は矢印Ｂ方向に回転運動を再開して回転状態となり（図１０）、以降、人形３は、台座２の上で、このような回転状態及び停止状態を繰り返していくことになる。
【００３５】
（III）本発明の効果：
本発明の置物１は、台座２の上に載置された人形について、駆動体４の回転運動が伝達されて、台座２の上で回転軸４４を回転の軸中心として形３が回転する状態と、遠心力及び向心力により、先端に錘８を付けた糸６が支柱７に巻き付いて人形３が停止し、その後、支柱７から糸６が解けて人形３が再度回転する状態が交互に繰り返されるため、シンプルな構成でありながら、見た目にも面白みがあるため見飽きることがない観賞用置物となる。また、単なる回転運動の連続ではなく、適度に停止状態を交えるため、単に回転運動を続ける場合と比べて、駆動体４の運動状態を長く持続させることができ、長時間楽しむことが可能となる。
【００３６】
（IV）実施形態の変形：
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００３７】
例えば、前記した実施形態では、台座２の上に配設される支柱７は、台座２に対して１本配設された態様を示したが、これには限定されず、人形３が回転しても竿体５と接触しない位置において、支柱７を複数本配設するようにしても問題はない。
なお、以下の説明では、既に説明した部分と同一または略同一である部分については、同一の符号を付して説明を省略する。
【００３８】
図１１ないし図１３は、本発明の置物の他の態様を示した図であって、図１１は、図１における支柱を支柱７のほか、支柱７ｂを人形３を中心として１８０°対称の位置に配設した斜視図、図１２は、支柱を支柱７のほか、支柱７ｃを人形３を中心として９０°対称の位置に配設した斜視図、図１３は、支柱を支柱７のほか、支柱７ｂを人形３を中心として１８０°対称の位置に、また、支柱７ｃを人形３を中心として９０°対称の位置に配設した斜視図、をそれぞれ示す。
なお、図１１ないし図１３にあって、台座２は、その上に支柱７ｂ、７ｃを配設できるように、その形状を変更している。
【００３９】
図１１の置物１にあっては、人形３が台座２の上で矢印Ｂ方向に回転することにより、先端に魚形状の錘８を付けた糸６が支柱７に巻き付いて人形３が停止し、その後、支柱７から糸６が解けて再度人形３が回転する。次に、糸６が支柱７ｂに巻き付いて人形３が停止して、支柱７ｂから糸６が解けて再度人形３が回転するという状態が交互に繰り返される。
【００４０】
また、図１２の置物１にあっては、人形３が台座２の上で矢印Ｂ方向に回転することにより、先端に魚形状の錘８を付けた糸６が支柱７に巻き付いて人形３が停止し、その後、支柱７から糸６が解けて再度人形３が回転する。そして、糸６が支柱７ｃに巻き付いて人形３が停止して、支柱７ｃから糸６が解けて再度人形３が回転するという状態が交互に繰り返される。
【００４１】
そして、図１３の置物１にあっては、人形３が台座２の上で矢印Ｂ方向に回転することにより、先端に魚形状の錘８を付けた糸６が支柱７に巻き付いて人形３が停止し、その後支柱７から糸６が解けて再度人形３が回転する。次に、糸６が支柱７ｃに巻き付いて人形３が停止し、支柱７ｃから糸６が解けて人形３が回転し、今度は糸６が支柱７ｂに巻き付いて人形３が停止し、支柱７ｂから糸６が解けて再度人形３が回転するという状態が交互に繰り返されることになる。
【００４２】
図１１ないし図１３に示す態様のように、支柱７（支柱７ｂ，７ｃ）が台座２の上に複数本（図１１及び図１２では２本、図１３では３本）配設されている構成を採用すれば、前記した効果を奏するとともに、人形３が回転する回転運動と、糸６が巻き付いて停止する停止運動がテンポよく続けられ、見た目の面白さが倍増し、見る者を更に楽しませる観賞用置物となる。
【００４３】
なお、前記した図１ないし図１３にあっては、人形３が竿体５を１本を備えた態様を示しているが、人形３に対して竿体５を複数本配設するようにしてもよい。人形３に対して竿体５を複数本配設することにより、見た目の面白さが更に倍増する。
【００４４】
前記した実施形態では、人形３として恵比寿様、錘８として魚形状のもの（具体的には鯛）を示したが、これには限定されず、例えば、人形３の形態としてカウボーイを用いて、竿体５ないし糸６を投げ縄に見立てて支柱７に巻き付かせるようにしてもよい。また、人形３を新体操の選手として、糸６をリボンと見立てて支柱７に巻き付かせるようにしたり、また、糸６に繋がれる錘８をボールに見立てて、支柱７に巻き付かせるようにしてもよい。また、人形３を植物や樹木等に見立てるようにしてもよい。一方、錘８の形態として、ボール等を使用するようにしてもよく、その形態は任意である。
【００４５】
また、前記した実施形態では、回転運動の駆動体４の駆動源としてぜんまい（発条）４１を例として示したが、これには限定されず、例えば、駆動源としてモーター等を使用するようにしてもよい。また、図２に示すように、駆動体４は台座２の内部（台座２の底）に配設されているが、駆動体４の配設される場所は特に制限はない。更には、図示しないが、図２における駆動体４には保護カバーをつけるようにしてもよい。
【００４６】
前記した実施形態では、人形３が備える竿体５は、弓状に撓った形状のものを示したが、これには限定されず、例えば、撓りのない棒状のものを採用してもよく、その形状は任意に選択することができる。
その他、本発明の実施の際の具体的な構造及び形状等は、本発明の目的を達成できる範
囲で他の構造等としてもよい。
【産業上の利用可能性】
【００４７】
本発明は、長時間楽しむことができ、見た目にも面白みがあるため見飽きることがない卓上型の観賞用の置物ないし玩具として使用することができる。
【図面の簡単な説明】
【００４８】
【図１】本発明の置物の一態様を示した斜視図である。
【図２】台座を底から見た図であって、駆動体の構造を示した概略図である。
【図３】図１のIII−III断面図である。
【図４】支柱と竿体の先端との位置状態を示した概略図である。
【図５】竿体の先端から延びる糸が支柱に接触した状態を示す斜視図である。
【図６】糸が支柱に巻き付いた状態を示す斜視図である。
【図７】糸が支柱に完全に巻き付いた状態を示す斜視図である
【図８】糸が支柱から解けた状態を示す斜視図である。
【図９】糸が支柱から完全に解けた状態を示す斜視図である。
【図１０】人形が回転運動を再開した状態を示す斜視図である。
【図１１】本発明の置物の他の態様を示した斜視図である。
【図１２】本発明の置物の他の態様を示した斜視図である。
【図１３】本発明の置物の他の態様を示した斜視図である。
【符号の説明】
【００４９】
１  ……  置物
２  ……  台座
３  ……  人形
４  ……  駆動体
４１……  ぜんまい
４２……  第１平歯車
４３……  第２平歯車
４４……  回転軸
４５……  ハンドル
５  ……  竿体
５１……  竿体の先端
６  ……  糸
７，７ｂ，７ｃ……  支柱
８  ……  魚形状の錘
９  ……  鈴
【図１】
2008125686.tif 000003
【図２】
2008125686.tif 000004
【図３】
2008125686.tif 000005
【図４】
2008125686.tif 000006
【図５】
2008125686.tif 000007
【図６】
2008125686.tif 000008
【図７】
2008125686.tif 000009
【図８】
2008125686.tif 000010
【図９】
2008125686.tif 000011
【図１０】
2008125686.tif 000012
【図１１】
2008125686.tif 000013
【図１２】
2008125686.tif 000014
【図１３】
2008125686.tif 000015